(57)【要約】      （修正有）【課題】モジュラージャックからモジュラープラグが外れた履歴を取ることが可能なモジュラープラグを提供する。【解決手段】モジュラープラグ１のレバー３を、モジュラージャック５に係合された状態でその先端がこのモジュラージャック５から露出しない長さに形成し、かつ、レバー３の先端部３ｂの少なくとも一部をモジュラージャック５に係合させ、さらに、レバー３の先端部３ｂに、この先端部３ｂが押圧されたことを視覚的に検知可能な押圧検知部６を設ける。【選択図】図４
0003183494.tif 000002
【実用新案登録請求の範囲】
【請求項１】
ケーブルの端部に設けられ、機器に設けられたモジュラージャックに電気的に接続された状態で装着可能な本体と、この本体から突出して設けられ、前記本体が前記モジュラージャックに装着された状態でこのモジュラージャックに係合可能なレバーとを備えるモジュラープラグにおいて、
前記レバーは、前記モジュラージャックに係合された状態でその先端がこのモジュラージャックから露出しない長さに形成され、かつ、前記レバーの先端部の少なくとも一部は前記モジュラージャックに係合され、
前記レバーの先端部には、この先端部が押圧されたことを視覚的に検知可能な押圧検知部が設けられている
ことを特徴とするモジュラープラグ。
【請求項２】
前記押圧検知部は、前記レバーの先端部に塗布された感圧式塗料または先端部に貼付された感圧紙であることを特徴とする請求項１記載のモジュラープラグ。
【請求項３】
前記押圧検知部は、前記レバーの先端部に形成された凹部と、この凹部を覆うように設けられ、押圧により変形する蓋部とを備えることを特徴とする請求項１記載のモジュラープラグ。
【考案の詳細な説明】
【技術分野】
【０００１】
本考案は、例えばＲＪ−１１やＲＪ−４５規格に用いられて好適なモジュラープラグに関する。
【背景技術】
【０００２】
ＬＡＮケーブルの先端に設けられたＲＪ−４５規格のモジュラープラグや、電話線の先端に設けられたＲＪ−１１規格のモジュラープラグは公知である（例えば特許文献１参照）。公知のモジュラープラグの一例を図７に示す。図７において、モジュラープラグ１０は本体１１とこの本体１１の上部に設けられたレバー１２とを備える。このモジュラープラグ１０は、ＰＣ等の電子機器に設けられたモジュラージャック２０に本体１１が挿入され、レバー１２の中央部がモジュラージャック２０に係合されることで固定される。そして、このモジュラープラグ１０をモジュラージャック２０から外す際には、レバー１２を本体１１に近接させる方向（図中Ａ方向）に押し下げて弾性変形させると、レバー１２とモジュラージャック２０との係合が外れることで、モジュラープラグ１０をモジュラージャック２０から容易に外すことができる。
【先行技術文献】
【特許文献】
【０００３】
【特許文献１】特開２００６−１７２８２６号公報
【考案の概要】
【考案が解決しようとする課題】
【０００４】
上述した公知のモジュラープラグ１０は、レバー１２とモジュラージャック２０との係合によりモジュラージャック２０に固定され、また、レバー１２を弾性変形させることでモジュラージャック２０との係合を外すことで、モジュラージャック２０から容易に外すことができる。
【０００５】
ここで、電子機器に設けられたモジュラージャック２０からモジュラープラグ１０が外されることは、この電子機器がＬＡＮ等のネットワークから取り外されて持ち運ばれたか、あるいは、許可されていない別のネットワークに接続された可能性があることを意味する。かかる事態は電子機器が接続されたネットワークのセキュリティに何かしらの影響を及ぼす可能性があるため、ネットワーク管理者を含む機器管理者としては、モジュラープラグ１０の脱着履歴を適切に管理したいという要望があった。
【０００６】
本考案は上述した課題に鑑みてなされたものであり、モジュラージャックからモジュラープラグが外れた履歴を取ることの可能なモジュラープラグの提供をその目的の一つとしている。
【課題を解決するための手段】
【０００７】
本考案は、ケーブルの端部に設けられ、機器に設けられたモジュラージャックに電気的に接続された状態で装着可能な本体と、この本体から突出して設けられ、本体がモジュラージャックに装着された状態でこのモジュラージャックに係合可能なレバーとを備えるモジュラープラグに適用される。そして、レバーを、モジュラージャックに係合された状態でその先端がこのモジュラージャックから露出しない長さに形成し、かつ、レバーの先端部の少なくとも一部をモジュラージャックに係合させ、レバーの先端部に、この先端部が押圧されたことを視覚的に検知可能な押圧検知部を設けることにより上述の課題の少なくとも一つを解決している。
【０００８】
レバーを、モジュラージャックに係合された状態でその先端がこのモジュラージャックから露出しない長さに形成し、かつ、レバーの先端部の少なくとも一部をモジュラージャックに係合させたので、ユーザは、このレバーの先端部を工具等により押圧してレバーとモジュラージャックとの係合を外すことで、モジュラープラグをモジュラージャックから外すことになる。この時、レバーの先端部に設けられた押圧検知部はこのレバー先端部の押圧を視覚的に検知可能とする。
【０００９】
ここで、押圧検知部は、レバーの先端部に塗布された感圧式塗料または先端部に貼付された感圧紙であることが好ましい。あるいは、押圧検知部は、レバーの先端部に形成された凹部と、この凹部を覆うように設けられ、押圧により変形する蓋部とを備えることが好ましい。
【考案の効果】
【００１０】
本考案によれば、モジュラージャックからモジュラープラグを外す動作であるレバーの先端部の押圧を押圧検知部により検出することができるので、モジュラージャックからモジュラープラグが外れた履歴を取ることの可能なモジュラープラグを実現することができる。
【図面の簡単な説明】
【００１１】
【図１】本考案の一実施形態であるモジュラープラグを示す正面図である。
【図２】一実施形態のモジュラープラグを示す右側面図である。
【図３】一実施形態のモジュラープラグのレバー部分を拡大して示した正面図である。
【図４】一実施形態のモジュラープラグがモジュラージャックに挿入された状態を示す一部断面図である。
【図５】本考案の変形例であるモジュラープラグのレバー部分を示す拡大断面図である。
【図６】本考案の別の変形例であるモジュラープラグのレバー部分を示す拡大断面図である。
【図７】公知のモジュラープラグがモジュラージャックに挿入された状態を示す一部断面図である。
【考案を実施するための形態】
【００１２】
（一実施形態）
図１〜図３は、本考案の一実施形態であるモジュラープラグを示す図であり、図１は一実施形態のモジュラープラグを示す正面図、図２は一実施形態のモジュラープラグを示す右側面図、図３は一実施形態のモジュラープラグのレバー部分を拡大して示した正面図である。これら図において、１はモジュラープラグであり、このモジュラープラグ１は、外形直方体状に形成された本体２とこの本体２の一端部（図１において右端部）の上部に設けられたレバー３とを備える。
【００１３】
本体２の中央には、ＬＡＮケーブルや電話線の端部が挿入される図略の空洞が形成され、これらＬＡＮケーブル等の芯線は、本体２のレバー３側の一端部に設けられた導体部４にそれぞれ結線される。この導体部４は、図４に示すようにモジュラープラグ１がモジュラージャック５に挿入されると、モジュラージャック５に設けられた図略の接続部に電気的に接続される。これにより、ＬＡＮケーブル等とモジュラージャック５との間の電気的接続が図られる。
【００１４】
レバー３は、本体２側に固着された基部３ａと、この基部３ａから本体２の他端部（図１において左端部）の上方に延出する爪部３ｂとを備える。
【００１５】
レバー３の爪部３ｂは、図４に示すように、モジュラープラグ１の本体がモジュラージャック５に挿入された状態で、その先端がこのモジュラージャック５から露出しない長さに形成され、かつ、このモジュラージャック５に係合するように形成されている。
【００１６】
加えて、このレバー３の爪部３ｂの先端部には、図３に示すように、この爪部３ｂの先端部が押圧されたことを視覚的に検知可能な押圧検知部６が設けられている。この押圧検知部６は、例えば感圧紙や感圧式塗料からなる塗料膜からなる。
【００１７】
従って、本実施形態のモジュラープラグ１では、レバー３の爪部３ｂの先端がこのモジュラージャック５から露出しない長さに形成されているので、ユーザは、一旦このモジュラープラグ１の本体２をモジュラージャック５に挿入してレバー３の爪部３ｂがこのモジュラージャック５に係合して固定したら、公知のモジュラープラグ１０と同様にレバー３を本体２に近接させて押し下げてレバー３とモジュラージャック５との係合を外すことはできない。従って、ユーザがモジュラープラグ１をモジュラージャック５から外すためには、何らかの工具等を用いてモジュラープラグ１のレバー爪部３ｂの先端部を押圧しながらこの爪部３ｂの先端部を押し下げてレバー３とモジュラージャック５との係合を外す必要がある。この、工具等によるモジュラープラグ１のレバー爪部３ｂの先端部の押圧動作があると、爪部３ｂの先端部に設けられた押圧検知部６がこの押圧動作を視覚的に検知可能な状態にする。よって、本実施形態によれば、この押圧検知部６を視認することにより、モジュラージャック５からモジュラープラグ１が外れた履歴を取ることが可能となる。
【００１８】
（変形例）
なお、本考案のモジュラープラグは、その細部が上述の一実施形態に限定されず、種々の変形例が可能である。一例として、上述の一実施形態では、感圧紙や感圧式塗料からなる塗料膜で押圧検知部６を構成したが、かかる構成に限定されず、爪部３ｂの先端部が押圧されたことを視覚的に検知可能なものであれば好適に採用可能である。
【００１９】
一例として、図５に示すように、爪部３ｂの先端部の一部に空洞（凹部）７を形成し、この空洞７を覆うように薄膜（蓋部）８を貼付した構成であっても押圧検知部６を実現することができる。この場合、爪部３ｂの先端部が押圧されると、押圧された部分の薄膜８が破壊されることにより、爪部３ｂの先端部が押圧されたことが視覚的に検知可能になる。あるいは、図６に示すように、爪部３ｂの先端部の一部に同様に空洞７を形成するとともに、爪部３ｂの先端部を、この空洞７を覆うような薄板部（蓋部）３ｃに形成しても押圧検知部６を構成することができる。この場合、爪部３ｂの先端部が押圧されると、この薄板部３ｃが傾斜するかあるいは爪部３ｂから離脱することにより、爪部３ｂの先端部が押圧されたことが視覚的に検知可能になる。
【符号の説明】
【００２０】
１、１０  モジュラープラグ
２、１１  本体
３、１２  レバー
３ａ  基部
３ｂ  爪部
３ｃ  薄板部
５、２０  モジュラージャック
６    押圧検知部
７    空洞
８    薄膜
【図１】
0003183494.tif 000003
【図２】
0003183494.tif 000004
【図３】
0003183494.tif 000005
【図４】
0003183494.tif 000006
【図５】
0003183494.tif 000007
【図６】
0003183494.tif 000008
【図７】
0003183494.tif 000009